(57)【要約】      （修正有）【課題】  火災発生時に降下するスクリーンで隙間、弛みのないウォークスルー耐火スクリーンを提供する。【解決手段】  スクリーンは単独では建物内部空間の幅に達しない複数の本体シート２，３を連装し、開き時に避難路側に回動し、閉止時には前記連接部を覆う内外の補助シート４、５を垂れ下げる。補助シート４は、連接部１０を覆う外側補助シート５を避難路４０側に押し込むことによって同方向に回動して開くよう補助シートの開き側斜め下部コーナ部分に第1の扉シート部４ａが形成されている。連接部１０を含む位置に間隔をおいて避難通路４０を形成するため、回動可能な第１、第２のウエイトバー１２、１３を設けて、扉シート部４ａ下端をウエイトバー１２に固着、扉シート部３ａの下端をウエイトバー１３に固着し、各ウエイトバーの回動支持部には、建物の内部空間を区画する自動締り機構２０、３０を付設する。【選択図】  図２
2008079668.tif 000002
【特許請求の範囲】
【請求項１】
天井側から垂下されて建物の内部空間を区画する、不燃性または耐火性のスクリーンを備え、該スクリーンは、単独では建物内部空間の幅に達しない任意幅の複数の本体シートを連装し、前記本体シートを建物内部空間のほぼ中央又は左右何れか寄りの少なくとも１つの連接部で突当てると共に、前記連接された戸先の隙間とその表裏を覆うに十分な幅を有し、かつ開き時に避難路側に回動し、閉止時には前記連接部を覆う内外の補助シートを垂れ下げてなるウォークスルー耐火スクリーンであって、
前記一方の本体シートの内側に垂れ下げた補助シートは、前記連接部を覆う外側補助シートを避難路形成側に押し込むことによって同方向に回動して開くよう前記補助シートの開き側斜め下部コーナ部分に第1の扉シート部が形成され、他方の本体シートの連接部寄り下コーナ部分には避難路形成側への押し込み時に前記第1の扉シート部と反対方向に回動して開くように、前記本体シートの連接部寄り下コーナ部分に第２の扉シート部が形成され、
前記連接部を含む位置に間隔をおいて避難通路を形成するため、水平又はほぼ水平面内に互いに反対方向に回動可能な第１、第２のウエイトバーを設けて、前記第1の扉シート部の下端を前記第１ウエイトバーに固着すると共に、前記第２の扉シート部の下端を前記第２ウエイトバーに固着し、
前記各ウエイトバーの回動支持部には、スクリーン閉止時並びに避難終了後に互いに閉じ方向に付勢して建物の内部空間を区画する自動締り機構を付設したことを特徴とするウォークスルー耐火スクリーン。
【請求項２】
前記両補助シートを本体シートの巻取軸とは別の巻取軸に巻き付けて本体シートの巻きを安定させるようにした請求項１に記載のウォークスルー耐火スクリーン。  
【請求項３】
前記第１の扉シート部の自動閉まり機構は、前記第１ウエイトバーの回動支点に設けたピンと回動支点から離れた位置の第１ウエイトバーに設けたピンとの間に縮設したコイルスプリングを有し；前記避難通路を形成する位置の座板の立ち上がり辺端部と第１ウエイトバーとの間をガイドアームで連結して、前記一方の本体シートの開き端側に垂れ下げた第１の補助シートの下縁を固着して避難通路形成時に、僅かに上向きで水平回動する第１ウエイトバーを設けた、ことを特徴とする請求項１に記載のウォークスルー耐火スクリーン。
【請求項４】
前記第１ウエイトバーは、回動支点近くに立てたピンと当該ウエイトバーの中央寄りに立てたピンとの間に縮設したコイルスプリングにより掛け止められ、前記コイルスプリングは内側補助シートの扉シート部がある程度開くと開き方向に付勢され、また、スクリーンの閉鎖時には、ウエイトバーがストッパ本体と密接する方向に畳み込まれて閉鎖方向に引っ張ることにより、内側補助シートの扉シート下縁に固着した第２ウエイトバーを挟み込むようにしたことを特徴とする請求項４に記載のウォークスルー耐火スクリーン。
【請求項５】
前記第２の扉シート部の避難終了後に閉じ方向に付勢する自動閉まり機構は、前記扉シート部の回動部に、避難路形成側の他端に当たる座板の立ち上がり辺に設けたトーションバネ付きのガド丁番に取り付けられ、かつガド丁番の一方の丁番リーフに水平ピン、段部、調整板、締付けネジを用いて僅かに上向きに前記第２のウエイトバーを回動させるように構成されている請求項１に記載のウォークスルー耐火スクリーン。
【請求項６】
自動閉まり機構は、横方向に通した第２のウエイトバーをほぼ水平に回動させて扉シート、補助シートに張りを持たせるため、前記カド丁番の回動側リーフに形成させた段部と、ウエイトバーに戸先のレベルを調整すべく該ウエイトバーの根元近くに設けた調整板とからなるガイド機構を有し；補助シートの有無に拘らず第２のウエイトバーが水平位置よりも下がらず、閉鎖時には上方向に自由に作動し、扉を開く際には両ウエイトバーを僅かに上向で互いに反対方向に回動させ、補助シートが無ければ水平に作動し、シートを挟み込んだときにはシート追従して上方向に作動するようにしたことを特徴とする請求項１に記載のウォークスルー耐火スクリーン。
【発明の詳細な説明】
【技術分野】
【０００１】
本発明は、天井側から垂下して建物の内部空間を区画することにより、火災時に生じる風圧等を受けても火災側と非火災側とを確実に遮断できると共に、天井側から垂下されて建物の内部空間を区画する防火区画用スクリーンに関するもので、特に開閉可能なスリットを設けて避難通路を形成できる所謂ウォークスルー耐火スクリーンに関する。
【背景技術】
【０００２】
広い間口にウォークスルー式耐火スクリーンを設置する際に、複数の防火防炎用スクリーン又はシートを連接するが、その際にスクリーンの連接近くを重ねて補おうとすると、スクリーンが１枚のところと２枚重なるところができ、その厚み段差により巻き上げが不安定となってシワが発生しやすく、間口方向に水平を保って巻き上げることが困難であった。このため、火災時に建物の内部空間を火災側と非火災側とに遮断して火災の延焼や煙の拡散を防止する防火装置として、不燃性または耐火性に富んだスクリーンを用いた防火区画用スクリーンシャッターが知られている。
【０００３】
上記ウォークスルー耐火スクリーンは、天井側から垂下されて建物の内部空間を区画する不燃性または耐火性に富んだシリカクロス、アルミナ、ステンレス等の無機繊維から製造された布帛で、平滑性や柔軟性を失わないものや、さらに片面に難燃性素材をコーティングして、実質的に通気性を無くして遮煙性能を向上させたものが使用されている。通常時には天井や梁下などに配設した巻取軸に巻装されているが、火災発生時には天井側から垂下されて、その下端部が床面に達することにより建物の室内空間が火災側と非火災側とに遮断される。（例えば特許文献１、及び特許文献２）。また、ウォークスルー耐火スクリーンは、より薄く、軽量であることが求められているが、火災時に生じる風圧を受けるとスクリーンが帆のように膨らんで下端部が浮き上がり、床面との間に隙間を生じるおそれがある。この隙間を生じると火災側と非火災側とが連通するため、遮煙・防炎性能等が低下するという問題がある。これを解消するため、スクリーンの下端部と、この下端部が垂下時に対向する部位とを磁力により吸着固定させるものが開示されている（非特許文献１、特許文献１）。
【０００４】
【非特許文献１】日本建築学会大会学術講演梗概集（北海道）１９９５年８月、（左欄第１３頁１９行〜第１４頁左欄２行、図１〜３）。
【特許文献１】特開平１０−１５５９２５号公報（公報第３頁右欄第２４〜２８行、図２）
【特許文献２】特開２０００−８０８６６号公報（公報第２頁左欄第４５〜４９行、第４頁左欄６〜１０行、図１、図５）
【発明の開示】
【発明が解決しようとする課題】
【０００５】
ウォークスルー耐火スクリーンは、より薄く、軽量であることが求められているが、火災時に生じる風圧を受けるとスクリーンが帆のように膨らんで下端部が浮き上がり、床面との間に隙間を生じるおそれがあるため、浮き上がりを見越してスクリーンを床面着地以上に弛ませなければならない。この隙間を生じると火災側と非火災側とが連通するため、遮煙・防炎性能等が低下する。従来の左右のスクリーンを連接部で突合わせるタイプの耐火スクリーンは、シートの巻きが安定せず弛みによって本体シートと扉のシートとの間には隙間が発生しやすく、その隙間から炎や煙が漏れ出してしまうことがあった。これを解消するため、スクリーンの下端部と、この下端部が垂下時に対向する部位とを前記非特許文献１、特許文献１のように、磁力により吸着固定させるものでは、床面やスクリーンの下端部に配置するのは容易でないばかりか、磁力のみでは、火災による温度上昇によって磁力が消失することがある。また、避難者がスクリーンに形成されているスリット状の避難通路を通過する際に、さきに傾いた大径側が巻かれるためスクリーンの下端部がずれ動き易い。スクリーンの下端部がずれ動くと上記の磁力が低下し、元の吸着固定状態へ容易に復帰できず、床面との間に隙間を生じて遮煙性能等が低下する。シートのしわによる不具合は、巻上時に座板が傾く（りちが合わない）と、最悪の場合シートが破れることがある。特に非常時まで長期間、巻かれた状態なので、しわ癖がついてしまい、ウォークスルーの開閉、特に閉鎖のときの動作が困難になる。
本発明は、本体シートの連接部本体シートの内外に補助シートを設けたうえ、扉を開閉するガイド機構と本体シートとの隙間を塞ぐ機構を設けて、火災時に生じる風圧等を受けても火災側と非火災側とを確実に遮断できるほか、スクリーンの一部に非火災側に開閉可能なスリット又は重合幕を設けて人の避難を許容する所謂ウォークスルー耐火スクリーンシャッターを提供することを目的とする。
【課題を解決するための手段】
【０００６】
本発明は上記目的を達成するために、請求項１は、天井側から垂下されて建物の内部空間を区画する、不燃性または耐火性のスクリーンを備え、該スクリーンは、単独では建物内部空間の幅に達しない任意幅の複数の本体シートを連装し、前記本体シートを建物内部空間のほぼ中央又は左右何れか寄りの少なくとも１つの連接部で突当てると共に、前記連接された戸先の隙間とその表裏を覆うに十分な幅を有し、かつ開き時に避難路側に回動し、閉止時には前記連接部を覆う内外の補助シートを垂れ下げてなるウォークスルー耐火スクリーンであって;前記一方の本体シートの内側に垂れ下げた補助シートは、前記連接部を覆う外側補助シートを避難路形成側に押し込むことによって同方向に回動して開くよう補助シートの開き側斜め下部コーナ部分に第1の扉シート部が形成され、他方の本体シートの連接部寄り下コーナ部分には避難路形成側への押し込み時に前記第1の扉シート部と反対方向に回動して開くように、本体シートの連接部寄り下コーナ部分に第２の扉シート部が形成され;前記連接部を含む位置に間隔をおいて避難通路を形成するため、水平又はほぼ水平面内に互いに反対方向に回動可能な第１、第２のウエイトバーを設けて、第1の扉シート部の下端を第１ウエイトバーに固着すると共に、第２の扉シート部の下端を第２ウエイトバーに固着し;前記各ウエイトバーの回動支持部には、スクリーン閉止時並びに避難終了後に互いに閉じ方向に付勢して建物の内部空間を区画する自動締り機構を付設したことを特徴とするウォークスルー耐火スクリーンである。請求項２は、前記両補助シートを本体シートの巻取軸とは別の巻取軸に巻き付けて本体シートの巻きを安定させるようにした請求項１に記載のウォークスルー耐火スクリーンである。  
【０００７】
請求項３は、第１の扉シート部の自動閉まり機構は、第１ウエイトバーの回動支点部分に設けたプレートに立てたピンとスライド板に設けたピンとの間に縮設したコイルスプリングを有し；ストッパ用丁番、ヒンジプレート、丁番軸、ストッパ本体、ストッパアーム、支持プレート及びピンからなるガイドアームを用いて、避難通路を除く前記座板の立ち上がり辺に第1のウエイトバー12を取り付けて、一方の本体シートの開き端側に垂れ下げた第１の補助シートの下縁を固着して避難通路幅の略半ばに達する長さで、僅かに上向きに水平回動する第１ウエイトバーを設けてなる請求項４に記載のウォークスルー耐火スクリーンである。
【０００８】
請求項４は、第１ウエイトバーが、回動支点近くに立てたピンと当該ウエイトバーの中央寄りに立てたピンとの間に縮設したコイルスプリングにより掛け止められ、前記コイルスプリングは第１の扉シート部がある程度開くと開き方向に付勢され、また、スクリーンの閉鎖時には、前記ウエイトバーがストッパ本体と密接する方向に畳み込まれて閉鎖方向に引っ張ることにより、前記補助シートの下縁に固着した第２ウエイトバーを挟み込むようにした請求項３に記載のウォークスルー耐火スクリーンである。
【０００９】
請求項５は、前記第２の扉シート部の避難終了後に閉じ方向に付勢する自動閉まり機構は、前記第２扉シート部の回動部に、避難路形成側の他端に当たる座板の立ち上がり辺に設けたトーションバネ付きのガド丁番に取り付けられ、かつガド丁番の一方の丁番リーフに水平ピン、段部、調整板及び締付けネジを用いて僅かに上向きに第２のウエイトバーを回動させるようにされている請求項１に記載のウォークスルー耐火スクリーンである。
【００１０】
請求項６は、前記第２の自動閉まり機構は、横方向に通した第２のウエイトバー13をほぼ水平に回動させて扉シート、補助シートに張りを持たせるため、前記カド丁番の回動側リーフ29bに形成させた段部36と、ウエイトバー13に戸先のレベルを調整すべく該ウエイトバー13の根元近くに設けた調整板37とからなるガイド機構35を有し、補助シートの有無に拘らず水平位置よりも下がらず、閉鎖時には上方向に自由に作動し、扉を開く際には両ウエイトバーを僅かに上向で互いに反対方向に回動させ、補助シートが無ければ水平に作動し、シートを挟み込んだときにはシート追従して上方向に作動するようにしたことを特徴とする請求項１または６に記載のウォークスルー耐火スクリーンである。
【発明の効果】
【００１１】
上記耐火スクリーンは、平常時には天井や梁下などに配設した巻取軸に巻装されており、火災発生時に降下される。この降下によりスクリーンの下端部の座板が床面に達すると、建物の内部空間がスクリーンにより確実に区画される。天井から垂下された防火スクリーンは、両側縁がガイドレール、下部は座板で保持され、火災によりスクリーンが風圧を受けても、下端部はずれたり持ち上げられたりせず、床面に接した状態が保持される。火災発生時には、スクリーンの連接部と扉シート部との開きによって避難路が形成され、避難者が通過した後は扉シート部のウエイトバー支持部に設けた自動閉じ機構により、補助シート、連接部及び扉シート部を閉じ、かつスクリーンの下端部が床面に接して建物空間を区画した状態に保持される。
【発明を実施するための最良の形態】
【００１２】
図１は本発明の実施形態を示すウォークスルー耐火スクリーンの斜視図、図２はガイドレールの図示を省略して扉シートと補助シ−トとを半開きにして避難路を形成させた状態の斜視図、図３はスクリーン駆動部の拡大断面図である。
図示のように、不燃性または耐火性のスクリーン装置１は、天井側から垂下されて単独では建物内部空間の幅に達しない任意幅の複数の本体シート２、３を連装し、本体シートを建物内部空間のほぼ中央又は左右何れか寄りの少なくとも１つの連接部１０で突当てると共に、連接部１０の表裏を覆うに十分な幅を有する内外の補助シート４、５を垂れ下げて建物の内部空間（建物内通路、廊下又は部屋間の開口部）を区画する。内側補助シート４は閉止時に連接部１０を覆い、かつ避難者が火災現場側から外側補助シート５を内側（非火災側）に押し込むことによって避難路の半ばを形成する方向に回動する第１の扉シート部４ａと、前記本体シート２に対向する側の本体シート３の連接部寄りには、扉シート部４ａと反対方向に回動して扉シート部４ａと共に十分な幅の避難路の形成を可能にする扉シート部３ａとを設けている。
【００１３】
複数の本体シート２，３を連接したとき、連接部１０の隙間を塞ぐために、連接部の表裏を覆うに十分な幅を有する補助シートを垂れ下げて重合膜とされるが、本体シートと補助シートを１本の巻取軸に巻くとシートが１枚のところと２枚重なるところができ、そのシートの段差により巻きが不安定となる。そこで、図２及び３に示すように、本体シート２、３の巻取軸９とは別に本体シートの内外に補助シート４、５用の巻取軸９ａ、９ｂを並設して、本体シートの巻きと切離すことで各シートの巻きを安定させる。
【００１４】
前記扉シート部４ａにおける第１のシートウエイトバー１２の回動支持部には避難終了後に閉じ方向に付勢する自動閉まり機構２０を備えている。この機構は図４、図５について詳述するように、座板６の避難通路４０を除く上辺に垂直のウエイトバー１２，１３を立て、一方の本体シート２の端から避難通路幅の半ばに達する長さの垂直辺１２ａを立てて一方の本体シート２の下端を固着すると共に、他方の本体シート３を避難通路４０の他端から他方の端までの長さの垂直辺１３を立てて他方の本体シート３の下端を固着している。避難通路を挟む座板６の一方の垂直辺６ａに第1ウエイトバー１２を回動自在に取付け、座板６の他方の垂直辺６ｂに第２ウエイトバー１３を取付ける。すなわち避難通路４０を挟む座板６の左方垂直辺６ａの端に丁番２７を用いて内側補助シート４の扉シート部４ａの下部に第1ウエイトバー１２を取付け、避難通路４０を挟む座板６の右方垂直辺６ｂの端に丁番２０を用いて本体シート３の扉シート部３ａの下部にウエイトバー１３を固着している。
【００１５】
前記コイルスプリング２８の一方は座板に固着したプレート２１上のピン２２に掛け止められ、他方は第１ウエイトバー１２に設けたプレート２３の長穴２４に摺動自在に挿合された係止ピン２７に掛け止められ、（前記ウエイトバー１２とコイルスプリング２８は自由に動作し、コイルスプリングは補助シート４の開閉を補助する機構になっており、）閉鎖時には閉まる方向に働き、ある程度開くと開き方向に付勢される。
また、第１ウエイトバー１２は、コイルスプリング28により掛け止められ、かつスクリーンの閉鎖時には、ストッパ本体１６aと密接する方向に畳み込まれることにより、補助シート３ａの下縁に固着した第２ウエイトバー１３を挟み込んで間隙を塞ぐ。扉シート部を開く際に、扉シート部と補助シートのウエイトバーは、それぞれ支持部を中心にして水平方向に対し上向に傾斜しながら回動させる。通常のヒンジでは水平方向のみの回動となるため、開閉動作が不安定となっていたが、座板６とウエイトバー１２、１３の間においてスムーズに開閉動作させることができる。また、第1のウエイトバー１２（図５）はスライド機構（長孔２４と係止ピン２７）によって支持され、アームバネにより全方向（水平、垂直方向）に可動するだけでは、閉鎖時に定位置に戻ることが困難なため、さらにガイドアーム１５を付設した。
【００１６】
建物内部の出火時に、前記本体シート２、３の下降によって内部空間が区画された際に、前記外側補助シート５を介して本体シートの連接部１０を押圧することにより、本体シート３の左端部分に形成させた第１の扉シート部３ａと内側補助シート４の第２の扉シート部４ａが互いに反対方向に回動して避難通路４０を形成させ、且つ避難終了後には前記扉シート部３ａと扉シート部４ａとを自動的に閉じて建物の内部空間を区画するが、各扉シート部下部の回動支持部には、避難終了後に互いに閉じ方向に付勢して建物の内部空間を区画する自動締り機構２０，３０をそれぞれ付設している。
【００１７】
第２扉シート部４ａの自動閉まり機構２０は、図４、図５に拡大して示すように、第１ウエイトバー１２の回動支点部分に立てたピン２２とスライド板２５aに設けたピン２７との間に縮設したコイルスプリング２８を有し、ストッパ用丁番１４ 、ヒンジプレート１４a、丁番軸２６、ストッパ本体、ストッパアーム１６b、支持プレート１７及びピン１８、１９からなるガイドアーム１６を用いて、避難通路４０を除く前記座板６の立ち上がり辺に第1のウエイトバー１２を取り付けている。本体シート２の開き端側に垂れ下げた第１の補助シートの下縁を固着して避難通路幅の略半ばに達する長さで、僅かに上向きに水平回動する第１ウエイトバー１２を設けている。
【００１８】
さらに詳しく述べると、第１ウエイトバー１２は、回動支点近くに立てたピン２２と当該ウエイトバー１２の中央寄りに立てたピン２７との間に縮設したコイルスプリング２８により掛け止められている。コイルスプリング２８は補助シート５ａがある程度開くと開き方向に付勢され、また、スクリーンの閉鎖時には、ウエイトバー１２がストッパ本体１６aと密接する方向に畳み込まれて閉鎖方向に引っ張ることにより、前記補助シート３ａの下縁に固着した第２ウエイトバー１３を挟み込むようにされている。
【００１９】
また、第２の扉シート部３aの自動閉まり機構３０は、図６、図７に拡大して示すように、扉シート部３aの回動部に、避難路形成側の他端に当たる座板の立ち上がり辺６bに設けたトーションバネ３３付きのガド丁番２９に取り付けられ、かつガド丁番の一方の丁番リーフ２９ｂに水平ピン３４、段部３６、調整板３７及び締付けネジ３８を用いて僅かに上向きに第２のウエイトバー１３を回動させるように組付けている。また、横方向に通した第２のウエイトバー１３をほぼ水平に回動させて扉シート部３aに張りを持たせるため、カド丁番２９の回動側リーフ２９bに形成させた段部３６と、ウエイトバー１３の戸先レベルを調整すべく該ウエイトバー１３の根元近くに設けた調整板３７とからなるガイド機構３５を有し、補助シートの有無に拘らず水平位置よりも下がらず、閉鎖時には上方向に自由に作動し、扉を開く際には両ウエイトバーを僅かに上向で互いに反対方向に回動させ、補助シートが無ければ水平に作動し、シートを挟み込んだときにはシート追従して上方向に作動するようにしている。また、カド蝶番２９の一方のリーフ２９ｂに長孔または上下方向を僅かに長円状にしたルーズ孔３９（図７）をあけて第２ウエイトバー１３の回動支持側をネジ３８で締め付けると共に、前述のように、カド蝶番２９の一方のリーフ２９ｂの回動軸寄りに段部３６を形成し、該段部に調整板３７を当接させて、ウエイトバーの戸先のレベルを調整できるようにしている。
【００２０】
図４は、図２の扉シート部３ａと補助シ−ト４の扉シート部４ａとを半開きにしたときの各シート下部に固着したウエイトバーの回動状態を示す拡大斜視図である。本体シート２、３の連接部１０を避難側に押すことにより、扉シート部３ａと内側補助シート５の扉シート部４ａが互いに反対方向に回動し、扉シート部３ａ，４ａをそれぞれ半開きにして、図４に白抜き矢印で示すように、避難路４０を形成させ建物内側への避難を可能にする。避難終了後には扉シート部３ａと内側補助シート５の扉シート部４ａとの各回動軸部に付設した自動締り機構２０、３０の作動によって両扉シート部３ａ、４ａを閉じて、建物内の通路、廊下又は開口部などの内部空間を区画して、火災側の火炎が内側（避難側）に流入しないように遮断される。
【００２１】
図５は扉シート部４aのウエイトバー１２を図４のＡ矢視方向から見た拡大斜視図、図６は扉シート部３aのウエイトバー１３を図４のＢ矢視方向から見た拡大斜視図、図７は図４の扉シート部３aのウエイトバー１３をＣ矢視方向から見た拡大斜視図である。  
本発明では、開閉扉であるウォークスルー部分の動作を円滑にし、かつ間隙を塞ぐ。扉（扉シート）を開く際に、扉シートと補助シートのウエイトバー１２、１３は、それぞれ支持部を中心にして水平方向に対し上向に傾斜しながら回動するが、通常のヒンジでは水平方向のみの回動となるため開閉動作が不安定となっていた。そこで、本発明は座板４とウエイトバー１２、１３の間をスムーズに動作させる機構を組み込む。一方のウエイトバー１２はスライド機構を設けたアームバネにより全方向に可動するものにした。ただし、ユニバーサルに可動するだけでは、閉鎖時に定位置に戻ることが困難なため、さらにガイドアーム１６を設けた。他方のウエイトバー１３はカド丁番２９の一方の羽根（リーフ）に軸を設けて水平回動と上方向へ持ち上がる垂直方向の回動ができるようにしている。即ち、このウエイトバー１３は、図６、７に示すように、ストッパ（調整板３６）により水平位置よりも下がらず、シート無しでの単体でも回動）する。避難用開閉扉の閉鎖時には、内外に垂れ下げた補助シート５、６でスリット（連接部１０）を塞ぐ。補助シート３ａにたるみが出た場合にも、確実に閉鎖できるよう補助シート支持用丁番軸３２にバネ（トーションバネ）３３を付設してある。
【００２２】
建屋内の通路や廊下の任意の位置を一時的に閉塞する左右の本体シート２、３を補助シート４の扉シート部４ａを張るため横方向／幅方向に通したウエイトバー１２をほぼ水平に回動させるガイド手段３５を設ける（図４、６、７）。ウエイトバー１３の回動支持部は、丁番１５とウエイトバー１３の連結部が自由軸になっているが、ウエイトバー１３の回動支持部にストッパ（調整板）３７が設けられ、シートの有無に拘らず水平位置よりも下がらず、閉鎖時には上方向に自由に作動し、扉を開いた際にはウエイトバー１３を水平・上方向に作動させる。シートが無ければ水平に作動し、シートを挟み込んだときには折り目を中心とするシートの開きに追従して上向き方向に作動する。前記シートシャッターの閉鎖時には、前記のウエイトバー１２がガイド本体と接触することで、前記ガイドアーム１６が畳み込まれると同時に、ウエイトバー１２を閉鎖方向に引張ることにより、ウエイトバー１３を挟み込む。
【００２３】
耐火スクリーンは、単独では建物内部区間（通路、廊下又は開口部など）の幅に達しない任意幅の左右の本体シート２、３を垂れ下げて前記区間のほぼ中央又は左右何れか寄りの位置で突合わせると共に、連接部１０の内外に突当端を覆うに十分な幅の補助シート５、６を垂れ下げる。前記内部空間の幅方向に垂下された複数の本体シート２、３で隣接する本体シート間の連接部１０でウォークスルー用スリットが形成される本体シート２、３と、前記スリット付近の表裏面を覆う内外の補助シート５、６とを備えている
【００２４】
図３はスクリーン駆動部の拡大断面図を示すもので、建物天井内に駆動ユニット８が配置され、そのハウジング内に左右の本体シート２、３に対し共通する巻取軸９を設けると共に、本体シートの挿通路を挟んだ巻取軸９の斜め下位にブラケット１１ａ、１１ｂを固着して内外補助シート５、６の巻取軸９ａ、９ｂをそれぞれ格納している。１本の巻取軸に本体シートと補助シートとを巻くと、１枚のところと２枚重なるところができ、そのシートの段差により巻きが不安定となるが、本体シートの巻取軸９の内外に平行する補助シート用の巻取軸９ａ、９ｂを設け、本体シートの巻きと切離すことで巻きを安定させる。
【００２５】
天井側から垂下されて建物の内部空間を区画する、不燃性または耐火性の可撓性を有するスクリーンを備え、該スクリーンは、前記内部空間の幅方向に垂下された複数の本体シートで形成され、かつ隣接する本体シート間の連接部（突合部）１０でウォークスルー用スリットが形成される本体シート２，３と、前記スリット付近の表裏面を覆う内外の補助シート５、６とを備えている。図示の防火区画用スクリーン１は、通常時はスクリーンを構成する左右の本体シート２、３と  本体シート２、３の連接部（突合部）１０で形成されたスリット  をカバーする内外の補助シート４、５とを天井や梁などに配設した駆動ユニット８に接続された巻取軸９ａ、９ｂにそれぞれ巻装し、火災発生とともに上記本体シート２、３の両側縁をガイドレール７，７で案内しながら内外の補助シート４、５と共に降下させて床面に向け垂下させる。
【００２６】
従来の装置ではウエイトバーまたはシートウエイトが水平方向回動のみで開閉動作が不安定であったが、本発明では、一方の扉シート部４ａは水平移動するが、他方の扉シート部３ａが開く際にはウエイトバー１３を水平移動しながら上方向に持ち上がるあおり可動片としてスムーズに動作させる（図６）。すなわち、開閉する補助シート４aと扉シート部３aにそれぞれ自動締り機構２０または３０を付設し、一方のウエイトバー１２はプレート２３、長孔２４、リンク２６及びコイルスプリングまたはアームバネ２８で構成されるスライド機構によりほぼ水平面内に回動するが、閉鎖時に定位置に戻ることが困難なため、ヒンジプレート１４ａとウエイトバー１２との間にガイドアーム１６（図５）を設ける。
【００２７】
第２の自動閉まり機構３０の詳細を図６、７に基づいて説明すると、第２のウエイトバー１３は座板６ａの端に固着した丁番の羽根（リーフ）３１ａにネジ３７、３７を通して支持されており、丁番軸３２にトーションバネ３３を巻き掛けると共に、回動側リーフに水平ピン３４を通してウエイトバー１３の根元部をガイド手段３５により支持する。丁番の他方の羽根（リーフ）３１ｂａの段部３６、調整板又はストッパ３７によって水平移動かつ上方向に持ち上がるようにした。ウエイトバー１３は調整板３７のストッパ作用により水平位置より下がることがない（図６，７）。上記スクリーンは、火災時に例えば火災検知スイッチ（図示省略）の作用で巻取軸の回動規制が解除されると、座板６、ウエイトバー１２、１３、本体シート２，３などの自重によりスクリーンが降下し、下端部が床面に達することで建物の内部空間が区画されて建物内の延焼や煙の拡散等が防止される。
【００２８】
図８は本発明耐火スクリーンの使用状態の平面図を示すもので、（ａ）は遮断状態、（ｂ）は避難時の通り抜け初期状態、（ｃ）は通り抜け状態の平面図である。
閉じられた避難扉を開放する際には、連接部１０の内側に重なる扉シート部３ａ、５ａを、図８（ａ）の矢印のように押し開くと、図８（ｂ）のように、ウエイトバー１２、１３が丁番軸１５、３２を中心に互いに反対方向に回動して扉シート部３ａ、４ａの下半部が開いて避難時の通り抜け初期状態となる。さらに図８（ｃ）のように扉シート部３ａ、４ａを回動させることにより本体シートの突合部（連接部）１０の開放によって避難路４０が形成され建物内側（非火災側）への通り抜けできる状態となる。
【００２９】
上記実施形態の機能的な特徴を列記すると下記のとおりである。
（１）複数の本体シート２、３を連接させる際に、連接部１０に生じる隙間を内外の補助シート４、５で塞ぐときに、本体シート２、３と補助シート４、５の巻きを安定にする。
（２）一方の補助シート４のコーナに形成される扉シート部４aと、他方の本体シート３のコーナに形成される扉シート部３aとの下部に、ほぼ水平で、かつ互いに逆方向に回動可能な第１、第２のウエイトバー１２、１３を対向配置する。
（３）第１のウエイトバー１２はコイルスプリング２８により掛け止め連結され、扉開閉時には補助シートの扉シート部４aが自在に作動するようにした。
（４）コイルスプリング２８はバネ受けで連結されているが、受け部分はスライド機構（長穴１９ａとピン２７）になっており第１ウエイトバー１２ａとコイルスプリング２８は自由に動作する。また、バネは補助シート４の開閉を補助する機構になっており、閉鎖時には閉まる方向に働き、ある程度開くと開き方向に付勢されるようにしている。
（５）シートシャッターの閉鎖時には、第１のウエイトバー１２がガイド本体１６と接触してストッパアーム１６aに密接する方向に畳み込まれると同時に、第１ウエイトバー１２を閉鎖方向に引っ張ることにより、ウエイトバー１２を挟み込むようにした（図４，５）。
（６）扉シート部のガイド手段３５ を備えている。カド丁番３１に支持されたと第２のウエイトバー１３の先端は自由軸になっているが、ウエイトバー１３の支持部であるカド丁番３１にはストッパ片に相当する調整板３７が設けられて、シートの有無に拘らずウエイトバー１３は水平位置よりも下がることはない。閉鎖時にはカド丁番３１に通した水平ピン３５を中心にして上向に自由に回動し、扉を開く際にはウエイトバー１３を僅かに上方向に傾けた状態で作動させる。すなわち、扉シート部が無ければ水平に作動し、一方の扉シート部４aに他方の扉シート部３aに挟み込まれたときには扉シート部３aに追従して第２のウエイトバー１３を上方向に回動するようにしている。
（７）座板６と第２ウエイトバー１３をそれぞれ蝶番を用いてネジ止めする。すなわち蝶番３１の一方のリーフにウエイトバー１３を座板の立ち上がり辺にネジ止め３４で連結すると共に、蝶番３１の他方のリーフに、上下方向を僅かに長円状にしたルーズ孔３９をあけてウエイトバー１３の回動支持側をネジ止め３４すると共に、蝶番３１の一方のリーフ回動支持側に段部３６を形成し、該段部にウエイトバー１３側に固着した調整板３７を当接させることにより  ウエイトバー１３の戸先のレベルを調整できるようにした（図４、６、７）。
【００３０】
上記のように、本発明は、天井側から垂下されて建物の内部空間を区画するウォークスルー耐火スクリーンにおいて、天井部の巻取装置から垂れ下げた複数枚の耐火スクリーンの端部を突合わせ、又は所要幅だけ重合して縦方向のスリットを形成し、その何れか一方の側面に、前記スリットをカバーする補助シートを設ける。天井から垂下された防火スクリーンは、両側縁がガイドレール、下部は座板で保持され、火災によりスクリーンが風圧を受けても、下端部はずれたり持ち上げられたりせず、床面に接した状態が保持される。火災発生時には、スクリーンの連接部と扉シート部との開きによって避難路が形成され、避難者が通過した後は扉シート部のウエイトバー支持部に設けた自動閉じ機構により、補助シート、連接部及び扉シート部を閉じ、かつスクリーンの下端部が床面に接して建物空間を区画した状態に保持される。また、スクリーンが一旦下降したのち、火災現場に残っていた人々を一斉に退避させるとき、或いは、火災が鎮火して平常状態に復帰したときには、巻取軸を駆動しスクリーン及び補助シートを天井側に収納して内部空間の閉鎖を解くことができる。
【図面の簡単な説明】
【００３１】
【図１】本発明の実施形態を示すウォークスルー耐火スクリーンの斜視図。
【図２】本発明耐火スクリーンの避難路形成状態の斜視図。
【図３】図のスクリーン巻上駆動部の拡大断面図。
【図４】図２の扉シート部と補助シ−トとを半開きにしたとき、両シート下部に固着したウエイトバーの回動状態を示す拡大斜視図。
【図５】補助シートのウエイトバーを図４のＡ矢視方向から見た拡大斜視図。
【図６】扉シートのウエイトバーを図４のＢ矢視方向から見た拡大斜視図。
【図７】扉シートのウエイトバーを図４のＣ矢視方向から見た拡大斜視図。
【図８】本発明耐火スクリーンの使用状態を示すもので、（ａ）は遮断状態、（ｂ）は非難時に本体シート連接部の下半部が開いて避難通路を形成する初期状態、（ｃ）は連接部の下部が大きく離れて避難通り抜け可能状態とした各平面図である。
【符号の説明】
【００３２】
１  耐火スクリーン装置              ２、３  本体シート（スクリーン）
３ａ、４ａ  第２、第１の扉シート部    ４、５  内外の補助シート
６  座板                            ６ａ、６b  座板立上がり辺
７  ガイドレール                    ８  駆動ユニット
９、９ａ、９ｂ  巻取軸              １０  本体シート連接部又は突合部
１１ａ、１１ｂ  ブラケット          １２、１３  ウエイトバー
１２ａ  ストッパカバー              １２ｂ  カバー
１４  ストッパ用丁番                １４ａ  ヒンジプレート
１５  丁番軸                        １６  ガイドアーム
１６ａ  アーム本体                  １６ｂ  ストッパアーム
１７  支持プレート                  １８、１９  ピン
２０、３０  自動閉まり機構          ２１、２３  プレート
２２  ピン                          ２４  長穴
２５  スライドピン                  ２５a スライド板
２６  丁番軸                        ２７  係止ピン
２８  コイルスプリング              ２９  カド丁番
２９ａ、２９ｂ  丁番リーフ          ３１  丁番軸
３２  トーションバネ                ３３  ピン
３４  水平ピン                      ３５  ガイド手段
３６  段部                          ３７  調整板  
３８  締付けネジ                    ３９ 長孔
４０  避難路
【図１】
2008079668.tif 000003
【図２】
2008079668.tif 000004
【図３】
2008079668.tif 000005
【図４】
2008079668.tif 000006
【図５】
2008079668.tif 000007
【図６】
2008079668.tif 000008
【図７】
2008079668.tif 000009
【図８】
2008079668.tif 000010